(57)【要約】【課題】省電力化を図ることができるトランシーバを提供する。【解決手段】トランシーバは、筐体１と、筐体１の内部に設けられた送信回路２および受信回路３Ａ、３Ｂと、送信回路２および受信回路３Ａ、３Ｂに接続された第１電極４と、送信回路２および受信回路３Ａに接続された第２電極５と、受信回路３Ｂに接続された第３電極６と、を有する。筐体１は、筐体１の内部を介して互いに対向する２つの面１１、１２を備える。第１電極４は、一方面１１に設けられる。第２電極５および第３電極６は、他方面１２に設けられ、同一の電極を２分割したように配置される。【選択図】図１
2010193132.tif 000002
【特許請求の範囲】
【請求項１】
筐体と、
前記筐体の内部に設けられた送信回路および第１、第２の受信回路と、
前記筐体の内部を介して互いに対向する、前記筐体の２つの面の一方面に設けられ、前記送信回路および第１、第２の受信回路に接続された第１電極と、
前記２つの面の他方面に設けられ、同一の電極を２分割したように配置される２つの電極の一方であって、前記送信回路および第１の受信回路に接続された第２電極と、
前記他方面の他方の電極であって、前記第２の受信回路に接続された第３電極と、を有し、
前記送信回路は、送信期間において、前記第１電極と前記第２電極の間に信号を印加し、
前記第１の受信回路は、受信期間において、通信相手のトランシーバから送信された信号であって前記第１電極と前記第２電極の間に生じた信号を受信し、
前記第２の受信回路は、送信期間において、前記送信回路から送信された信号であって前記第１電極と前記第３電極の間に生じた信号を検知する
ことを特徴とするトランシーバ。
【請求項２】
筐体と、
前記筐体の内部に設けられた送信回路および受信回路と、
前記筐体の内部を介して互いに対向する、前記筐体の２つの面の一方面に設けられ、前記送信回路と前記受信回路に接続された第１電極と、
前記２つの面の他方面に設けられ、同一の電極を２分割したように配置される２つの電極の一方であって、前記送信回路に接続された第２電極と、
前記他方面の他方の電極であって、前記受信回路に接続された第３電極と、を有し、
前記送信回路は、送信期間において、前記第１電極と前記第２電極の間に信号を印加し、
前記受信回路は、送信期間において、前記送信回路から送信された信号であって前記第１電極と前記第３電極の間に生じた信号を検知し、受信期間において、通信相手のトランシーバから送信された信号であって前記第１電極と前記第３電極の間に生じた信号を受信する
ことを特徴とするトランシーバ。
【請求項３】
前記第１電極の表面部が凹部または凸部を有する
ことを特徴とする請求項１または２記載のトランシーバ。
【請求項４】
筐体と、
前記筐体の内部に設けられた送信回路および受信回路と、
前記筐体の内部を介して互いに対向する、前記筐体の２つの面の一方面に設けられ、同一の電極を２分割したように配置される２つの電極の一方であって、前記送信回路に接続された第１電極と、
前記２つの面の他方面に設けられ、他の同一の電極を２分割したように配置される２つの電極の一方であって、前記送信回路に接続された第２電極と、
前記一方面の他方の電極であって、前記受信回路に接続された第３電極と、
前記他方面の他方の電極であって、前記受信回路に接続された第４電極と、を有し、
前記送信回路は、送信期間において、前記第１電極と前記第２電極の間に信号を印加し、
前記受信回路は、送信期間において、前記送信回路から送信された信号であって前記第３電極と前記第４電極の間に生じた信号を検知し、受信期間において、通信相手のトランシーバから送信された信号であって前記第３電極と前記第４電極の間に生じた信号を受信する
ことを特徴とするトランシーバ。
【発明の詳細な説明】
【技術分野】
【０００１】
本発明は、電界伝達媒体を介して通信を行うトランシーバに関するものである。
【背景技術】
【０００２】
近年においては、人体などの電界伝達媒体に電界を誘起させて行う通信に関する研究がある（非特許文献１参照）。
【０００３】
図５は、かかる通信に用いるトランシーバの構成を示す断面図である。
【０００４】
トランシーバは、第１電極４０１と第２電極５０１を有し、後者に接触する人体９０００を電界伝達媒体として、図示しない相手のトランシーバと半２重の通信を行う。相手に信号を送信する送信期間において、送受信回路２００内の送信回路は、第１電極４０１と第２電極５０１の間に信号を印加する。相手から信号を受信する受信期間において、送受信回路２００内の受信回路は、第１電極４０１と第２電極５０１の間に生じる相手からの信号を受信する。つまり、送受信回路２００は、送信期間において送信回路を使用し、受信期間において受信回路に切り替える。
【先行技術文献】
【非特許文献】
【０００５】
【非特許文献１】"Redtacton", [online]、日本電信電話株式会社、[平成２０年２月１日検索]、インターネット[URL: http://www.redracton.com/]
【発明の概要】
【発明が解決しようとする課題】
【０００６】
トランシーバは、例えば人に携帯されて使用される。この場合、回路への電力供給は２次電池（バッテリ）が担う。バッテリを長持ちさせるため、トランシーバが携帯されていない場合は、回路を省電力化するのが好ましい。しかし、図５のトランシーバでは、トランシーバが携帯されているか否かを判定できず、よって、省電力化を図ることができない。
【０００７】
本発明は、上記の課題に鑑みてなされたものであり、その目的とするところは、省電力化を図ることができるトランシーバを提供することにある。
【課題を解決するための手段】
【０００８】
第１の本発明に係るトランシーバは、筐体と、前記筐体の内部に設けられた送信回路および第１、第２の受信回路と、前記筐体の内部を介して互いに対向する、前記筐体の２つの面の一方面に設けられ、前記送信回路および第１、第２の受信回路に接続された第１電極と、前記２つの面の他方面に設けられ、同一の電極を２分割したように配置される２つの電極の一方であって、前記送信回路および第１の受信回路に接続された第２電極と、前記他方面の他方の電極であって、前記第２の受信回路に接続された第３電極と、を有し、前記送信回路は、送信期間において、前記第１電極と前記第２電極の間に信号を印加し、前記第１の受信回路は、受信期間において、通信相手のトランシーバから送信された信号であって前記第１電極と前記第２電極の間に生じた信号を受信し、前記第２の受信回路は、送信期間において、前記送信回路から送信された信号であって前記第１電極と前記第３電極の間に生じた信号を検知することを特徴とする。
【０００９】
第２の本発明に係るトランシーバは、筐体と、前記筐体の内部に設けられた送信回路および受信回路と、前記筐体の内部を介して互いに対向する、前記筐体の２つの面の一方面に設けられ、前記送信回路と前記受信回路に接続された第１電極と、前記２つの面の他方面に設けられ、同一の電極を２分割したように配置される２つの電極の一方であって、前記送信回路に接続された第２電極と、前記他方面の他方の電極であって、前記受信回路に接続された第３電極と、を有し、前記送信回路は、送信期間において、前記第１電極と前記第２電極の間に信号を印加し、前記受信回路は、送信期間において、前記送信回路から送信された信号であって前記第１電極と前記第３電極の間に生じた信号を検知し、受信期間において、通信相手のトランシーバから送信された信号であって前記第１電極と前記第３電極の間に生じた信号を受信することを特徴とする。
【００１０】
第３の本発明に係るトランシーバは、筐体と、前記筐体の内部に設けられた送信回路および受信回路と、前記筐体の内部を介して互いに対向する、前記筐体の２つの面の一方面に設けられ、同一の電極を２分割したように配置される２つの電極の一方であって、前記送信回路に接続された第１電極と、前記２つの面の他方面に設けられ、他の同一の電極を２分割したように配置される２つの電極の一方であって、前記送信回路に接続された第２電極と、前記一方面の他方の電極であって、前記受信回路に接続された第３電極と、前記他方面の他方の電極であって、前記受信回路に接続された第４電極と、を有し、前記送信回路は、送信期間において、前記第１電極と前記第２電極の間に信号を印加し、前記受信回路は、送信期間において、前記送信回路から送信された信号であって前記第３電極と前記第４電極の間に生じた信号を検知し、受信期間において、通信相手のトランシーバから送信された信号であって前記第３電極と前記第４電極の間に生じた信号を受信することを特徴とする。
【発明の効果】
【００１１】
本発明によれば、受信回路が信号を受信できない場合は、相手との通信もできないので、相手との通信で必要な回路の省電力化を図ることができる。
【図面の簡単な説明】
【００１２】
【図１】第１の実施の形態に係るトランシーバの構成を示す断面図である。
【図２】第２の実施の形態に係るトランシーバの構成を示す断面図である。
【図３】第３の実施の形態に係るトランシーバの構成を示す断面図である。
【図４】第４の実施の形態に係るトランシーバの構成を示す断面図である。
【図５】従来のトランシーバの構成を示す断面図である。
【発明を実施するための形態】
【００１３】
以下、本発明の実施の形態を図面を参照して説明する。
【００１４】
［第１の実施の形態］
図１は、第１の実施の形態に係るトランシーバの構成を示す断面図である。
【００１５】
トランシーバは、筐体１と、筐体１の内部に設けられた送信回路２および受信回路３Ａ、３Ｂと、送信回路２および受信回路３Ａ、３Ｂに接続された第１電極４と、送信回路２および受信回路３Ａに接続された第２電極５と、受信回路３Ｂに接続された第３電極６と、を有する。第１電極４は、例えば、送信回路２および受信回路３Ａ、３Ｂのグラウンドに接続される。筐体１は、筐体１の内部を介して互いに対向する２つの面１１、１２を備える。第１電極４は、一方面１１に設けられる。第２電極５および第３電極６は、他方面１２に設けられ、同一の電極を２分割したように配置される。各電極は導電性を有するもので、例えば金属である。以下、電極について同様である。
【００１６】
トランシーバは、人体９を電界伝達媒体として、図示しない相手のトランシーバと半２重の通信を行う。相手に信号を送信する送信期間において、送信回路２は、第１電極４と第２電極５の間に信号を印加し、受信回路３Ｂは、第１電極４と第３電極６の間に生じた信号を検知する。
【００１７】
トランシーバが人に携帯され、第２電極５および第３電極６が人体９に接触している場合、第２電極５から人体９を介して第３電極６に信号が伝達され、第１電極４と第３電極６の間にも信号が生じる。よって、この場合、受信回路３Ｂは、第１電極４と第３電極６の間に生じた信号を受信できる。また、第２電極５および第３電極６が人体９に接触している場合、受信回路３Ａは、相手から信号を受信する受信期間に、第１電極４と第２電極５の間に生じる相手からの信号を受信する。
【００１８】
一方、第２電極５および第３電極６が人体９に接触していない場合、第２電極５から第３電極６に信号が伝達されず、受信回路３Ｂは信号を受信できない。第３電極６が人体９に接触していない場合、自ずと第２電極５も人体９に接触していないこととなるので、受信回路３Ａは、相手からの信号も受信できず、相手との通信に必要な回路（受信回路３Ａなど）が不要である。よって、受信回路３Ｂが信号を受信できない場合、相手との通信に必要な回路の省電力化を図ることができる。
【００１９】
なお、送信期間において、誤って相手から信号が送信される場合があるので、受信回路３Ｂは、送信回路２により送信される信号に含まれる自身のトランシーバの識別情報を相手のトランシーバの識別情報と区別して検出するようにしてもよい。
【００２０】
したがって、第１の実施の形態によれば、受信回路３Ｂが信号を受信できない場合は、相手との通信もできないので、相手との通信で必要な回路の省電力化を図ることができる。
【００２１】
［第２の実施の形態］
図２は、第２の実施の形態に係るトランシーバの構成を示す断面図である。
【００２２】
トランシーバは、筐体１０と、筐体１０の内部に設けられた送信回路２０および受信回路３０と、送信回路２０と受信回路３０に接続された第１電極４０と、送信回路２０に接続された第２電極５０と、受信回路３０に接続された第３電極６０と、を有する。第１電極４０は、例えば、送信回路２０と受信回路３０のグラウンドに接続される。筐体１０は、筐体１０の内部を介して互いに対向する２つの面１３、１４を備える。第１電極４０は、一方面１３に設けられる。第２電極５０および第３電極６０は、他方面１４に設けられ、同一の電極を２分割したように配置される。
【００２３】
トランシーバは、人体９０を電界伝達媒体として、図示しない相手のトランシーバと半２重の通信を行う。送信期間において、送信回路２０は、第１電極４０と第２電極５０の間に信号を印加し、受信回路３０は、第１電極４０と第３電極６０の間に生じた信号を検知する。
【００２４】
トランシーバが人に携帯され、第２電極５０および第３電極６０が人体９０に接触している場合、第２電極５０から人体９０を介して第３電極６０に信号が伝達され、第１電極４０と第３電極６０の間にも信号が生じる。よって、この場合、受信回路３０は、第１電極４０と第３電極６０の間に生じた信号を受信できる。また、受信回路３０は、受信期間において、第１電極４０と第３電極６０の間に生じる相手からの信号を受信する。
【００２５】
一方、第２電極５０および第３電極６０が人体９０に接触していない場合、第２電極５０から第３電極６０に信号が伝達されず、受信回路３０は信号を受信できない。第３電極６０が人体９０に接触していない場合、相手からの信号も受信できず、相手との通信に必要な回路が不要である。よって、受信回路３０が信号を受信できない場合、そのような回路の省電力化を図ることができる。
【００２６】
なお、送信期間において、受信回路３０は、送信回路２０により送信される信号に含まれる自身のトランシーバの識別情報を相手のトランシーバの識別情報と区別して検出するようにしてもよい。
【００２７】
したがって、第２の実施の形態によれば、受信回路３０が信号を受信できない場合は、相手との通信もできないので、相手との通信で必要な回路の省電力化を図ることができる。
【００２８】
［第３の実施の形態］
図３は、第３の実施の形態に係るトランシーバの構成を示す断面図である。
【００２９】
トランシーバは、第２の実施の形態に係るトランシーバに類似した構成であり、同一の構成要素には同一符号を付与する。以下、第２の実施の形態との差異を説明する。
【００３０】
第１電極４０の表面部４０Ｓは凸部を有し、これにより、人体９０と第１電極４０の接触面積が小さくなり、第１電極４０が人体９０に接触すると違和感が生じる。よって、反対側の第２電極５０および第３電極６０が自ずと人体９０に触れるようにトランシーバが携帯される。したがって、トランシーバが携帯されているときは、受信回路３０が信号を必ず検知できるようになる。なお、表面部４０Ｓが凹部を有していても同様の効果が得られる。
【００３１】
したがって、第３の実施の形態によれば、相手との通信で必要な回路の省電力化を図ることができ、しかも、凸部などを有する第１電極４０が人体などに接触した際に違和感を生じさせ、これにより、第２電極５０および第３電極６０が自ずと人体９０に触れるようにトランシーバが携帯され、もって、相手との通信を確実に行うことができる。
【００３２】
なお、第２の実施の形態との差異を説明したが、第１の実施の形態において、第１電極４の表面部に凸部または凹部を設けてもよい。
【００３３】
［第４の実施の形態］
図４は、第４の実施の形態に係るトランシーバの構成を示す断面図である。
【００３４】
筐体１００と、筐体１００の内部に設けられた送信回路２１および受信回路３１と、送信回路に接続された第１電極４１、第２電極５１と、受信回路３１に接続された第３電極６１、第４電極７１と、を有する。各電極は、例えば、送信回路２１と受信回路３１のグラウンドには接続されず、グラウンドからフローティングした状態にされる。筐体１００は、筐体１００の内部を介して互いに対向する２つの面１１０、１２０を備える。第１電極４１、第３電極６１は、一方面１１０に設けられ、同一の電極を２分割したように配置される。第２電極５１、第４電極７１は、他方面１２０に設けられ、同一の電極を２分割したように配置される。
【００３５】
トランシーバは、人体９００を電界伝達媒体として、図示しない相手のトランシーバと半２重の通信を行う。送信期間において、送信回路２１は、第１電極４１と第２電極５１の間に信号を印加し、受信回路３１は、第３電極６１と第４電極７１の間に生じた信号を検知する。
【００３６】
トランシーバが人に携帯され、第２電極５１および第４電極７１が人体９００に接触している場合、第２電極５１から人体９００を介して第４電極７１に信号が伝達される。一方、第１電極４１と第３電極６１の間には大地を介して所定の電位差が生じる。よって、第３電極６１と第４電極７１の間も信号が生じ、受信回路３１は、この第３電極６１と第４電極７１の間に生じた信号を受信できる。また、受信回路３１は、受信期間において、第３電極６１と第４電極７１の間に生じる相手からの信号を受信する。
【００３７】
一方、第２電極５１および第４電極７１が人体９００に接触していない場合、第２電極５１から第４電極７１に信号が伝達されず、受信回路３１は信号を受信できない。第４電極７１が人体９００に接触していない場合、相手からの信号も受信できず、相手との通信に必要な回路が不要である。よって、受信回路３１が信号を受信できない場合、そのような回路の省電力化を図ることができる。
【００３８】
図示しないが、トランシーバが人に携帯され、第１電極４１および第３電極６１が人体９００に接触している場合、第１電極４１から人体９００を介して第３電極６１に信号が伝達される。一方、第２電極５１と第４電極７１の間には大地を介して所定の電位差が生じる。よって、同様に、受信回路３１は、第３電極６１と第４電極７１の間に生じる信号を受信できる。
【００３９】
一方、第１電極４１および第３電極６１が人体９００に接触していない場合、第１電極４１から第３電極６１に信号が伝達されず、受信回路３１は信号を受信できない。第４電極７１が人体９００に接触していない場合、相手からの信号も受信できず、その場合に必要な回路が不要である。よって、受信回路３１が信号を受信できない場合、そのような回路の省電力化を図ることができる。
【００４０】
なお、送信期間において、受信回路３１は、送信回路２１により送信される信号に含まれる自身のトランシーバの識別情報を相手のトランシーバの識別情報と区別して検出するようにしてもよい。
【００４１】
したがって、第４の実施の形態によれば、相手との通信で必要な回路の省電力化を図ることができ、しかも、第２電極５１および第４電極７１が人体９００に接触している場合であっても、第１電極４１および第３電極６１が人体９００に接触している場合であっても、相手との通信を行うことができる。
【００４２】
なお、各実施の形態では、例として、電界伝達媒体を人体としたが、これに限らず、トランシーバによる通信は任意の電界伝達媒体を使用して行うことができる。
【符号の説明】
【００４３】
１、１０、１００…筐体
２…送信回路
２００…送受信回路
３Ａ、３Ｂ、３０、３１…受信回路
４、４０、４１、４０１…第１電極
５、５０、５１、５０１…第２電極
６、６０、６１…第３電極
９、９０、９００、９０００…人体
１１、１２、１４、１４、１１０、１２０…筐体の面
２０、２１…送信回路
４０Ｓ…表面部
７１…第４電極
【図１】
2010193132.tif 000003
【図２】
2010193132.tif 000004
【図３】
2010193132.tif 000005
【図４】
2010193132.tif 000006
【図５】
2010193132.tif 000007